(57)【要約】【課題】簡便に映像データの書込、再生ができる映像監視装置を提供する。【解決手段】映像監視装置１０は、ストレージ装置２０と、映像を取り込み、取り込んだ映像データをストレージ装置２０に書き込むカメラ装置１２ａ、１２ｂとを備え、カメラ装置１２ａ、１２ｂは、ストレージ装置２０に書き込む前記映像データの書込領域に関する管理情報２５を作成し、記録する領域割当処理部１４と、前記映像データを前記管理情報に基づいてストレージ装置２０に書き込む書込処理部１６とを有し、ストレージ装置２０は、前記領域割当処理部によって管理情報２５が記録され、カメラ装置１２ａ、１２ｂからの同時アクセスが禁止される領域管理テーブル２２と、前記書込処理部によって前記映像データが書き込まれる書込領域部とを有する。【選択図】図１
2010278721.tif 000002
【特許請求の範囲】
【請求項１】
ネットワークに接続されたストレージ装置と、
映像を取り込み、取り込んだ映像データを前記ネットワークを介して前記ストレージ装置に書き込む複数のカメラ装置とを備え、
前記各カメラ装置は、前記ストレージ装置に書き込む前記映像データの書込領域に関する管理情報を作成し、前記管理情報を前記ストレージ装置に記録する領域割当処理部と、前記映像データを前記管理情報に基づいて前記ストレージ装置に書き込む書込処理部とを有し、
前記ストレージ装置は、前記領域割当処理部によって前記管理情報が記録され、前記各カメラ装置からの同時アクセスが禁止される領域管理テーブルと、前記書込処理部によって前記映像データが書き込まれる書込領域部とを有する
ことを特徴とする映像監視装置。
【請求項２】
請求項１記載の映像監視装置において、
前記一のカメラ装置が前記管理情報を記録するために前記領域管理テーブルにアクセスした場合に、
前記他のカメラ装置は、前記一のカメラ装置が作成した前記管理情報の前記領域管理テーブルへの記録処理が終了するまで前記領域管理テーブルへのアクセスが禁止される
ことを特徴とする映像監視装置。
【請求項３】
請求項１又は２記載の映像監視装置において、
さらに、前記ネットワークを介して前記ストレージ装置から前記映像データを読み出し、再生するモニタ装置を有し、
前記書込領域部は、前記映像データの書込時間が、前記各カメラ装置及び前記モニタ装置が領域管理テーブルへアクセスする合計時間よりも長くなるように領域を設定したブロックを複数有し、
前記書込処理部は、前記ブロックの単位で前記映像データを前記書込領域部に書き込むことを特徴とする映像監視装置。
【発明の詳細な説明】
【技術分野】
【０００１】
本発明は、ネットワークに接続されたストレージ装置と、映像を取り込み、取り込んだ映像データを前記ネットワークを介して前記ストレージ装置に書き込む複数のカメラ装置とを備える映像監視装置に関する。
【背景技術】
【０００２】
ネットワーク技術や映像データの圧縮技術の発展に伴い、ネットワークに直接接続することができるカメラ装置や記録装置を用いた映像監視装置が実用化されている。
【０００３】
このような映像監視装置では、カメラ装置で取り込んだ映像データが圧縮され、ネットワークを介して記録装置に記録される。前記記録装置は、映像データの記録制御の他に、映像データの再生処理やネットワークを介して接続されているカメラ装置の制御を行っている。従って、前記記録装置は、ネットワークを介して接続されるカメラ装置の台数が増えるにつれて負荷が増大するとともに、集中度が増してしまう。
【０００４】
前記記録装置の負荷や集中度を軽減するために、例えば、特許文献１に示すような映像監視装置が提案されている。この映像監視装置は、ディスクアレイのようなストレージ装置と、前記ストレージ装置へ直接圧縮した映像データを書き込み可能なカメラ装置と、前記ストレージ装置から読み出した映像データを表示するモニタ装置と、前記ストレージ装置の記録領域を管理するとともに、カメラ装置やモニタ装置に対する書込領域や読出領域に関する管理情報を管理する管理サーバとを備える。前記映像監視装置では、前記管理情報以外は管理サーバを経由せずにストレージ装置、カメラ装置、モニタ装置の相互間で直接、映像データのやり取りを行うことにより負荷の分散を図っている。
【先行技術文献】
【特許文献】
【０００５】
【特許文献１】特開２００５−１８４２１４号公報
【発明の概要】
【発明が解決しようとする課題】
【０００６】
しかしながら、上記特許文献１では、管理サーバがストレージ装置の管理情報を一元管理しているために、管理サーバが故障した場合には映像監視装置の全体が動作しなくなる。従って、映像監視装置の安定した運用のためには、堅牢な管理サーバを用意する必要があり、装置全体が高価になる。
【０００７】
本発明は、前記の課題を解決するためになされたものであって、管理サーバを用いることなく、簡便に映像データの書込、再生ができる映像監視装置を提供することを目的とする。
【課題を解決するための手段】
【０００８】
本発明に係る映像監視装置は、ネットワークに接続されたストレージ装置と、映像を取り込み、取り込んだ映像データを前記ネットワークを介して前記ストレージ装置に書き込む複数のカメラ装置とを備え、前記各カメラ装置は、前記ストレージ装置に書き込む前記映像データの書込領域に関する管理情報を作成し、前記管理情報を記録する領域割当処理部と、前記映像データを前記管理情報に基づいて前記ストレージ装置に書き込む書込処理部とを有し、前記ストレージ装置は、前記領域割当処理部によって前記管理情報が記録され、前記各カメラ装置からの同時アクセスが禁止される領域管理テーブルと、前記書込処理部によって前記映像データが書き込まれる書込領域部とを有し、前記書込処理部は、前記映像データを前記書込領域部に書き込むことを特徴とする。
【０００９】
前記映像監視装置において、前記一のカメラ装置が前記管理情報を記録するために前記領域管理テーブルにアクセスした場合に、前記他のカメラ装置は、前記一のカメラ装置が作成した前記管理情報の前記領域管理テーブルへの記録処理が終了するまで前記領域管理テーブルへのアクセスが禁止されることを特徴とする。
【００１０】
前記映像監視装置において、さらに、前記ネットワークを介して前記ストレージ装置から前記映像データを読み出し、再生するモニタ装置を有し、前記書込領域部は、前記映像データの書込時間が、前記各カメラ装置及び前記モニタ装置のアクセス合計時間よりも長くなるように領域を設定したブロックを複数有し、前記書込処理部は、前記ブロックの単位で前記映像データを前記書込領域部に書き込むことを特徴とする。
【発明の効果】
【００１１】
本発明の映像監視装置によれば、ストレージ装置に映像データの書込領域に関する管理情報を記録する領域管理テーブルを設ける一方、管理情報をカメラ装置で作成して領域管理テーブルに記録することにより、ストレージ装置を管理する専用の管理サーバを用いることなく、カメラ装置から取り込んだ映像データを簡便に書込、再生することができる。
【００１２】
また、各カメラ装置により確保されるストレージ装置の書込領域部のブロックを、そのブロックへの映像データの書込時間が、各カメラ装置及びモニタ装置のアクセス合計時間よりも長くなる容量の領域として設定することにより、書込領域への映像データの書込処理を連続的に行うことができる。
【図面の簡単な説明】
【００１３】
【図１】本発明の実施形態に係る映像監視装置の構成の説明図である。
【図２】領域管理テーブルの管理情報を示す図である。
【図３】カメラ装置による書込領域の割当処理について説明したフローチャートである。
【図４】カメラ装置による書込領域への映像データの書込処理について説明したフローチャートである。
【図５】モニタ装置による領域情報の取得処理について説明したフローチャートである。
【図６】モニタ装置による映像データの再生処理について説明したフローチャートである。
【発明を実施するための形態】
【００１４】
以下、本発明の実施形態について図面を参照して説明する。図１は、本発明の実施形態に係る映像監視装置１０の構成の説明図である。図２は、領域管理テーブルの管理情報を示す図である。
【００１５】
映像監視装置１０は、監視すべき場所に設置され、その場所の映像を取り込むためのカメラ装置１２ａ、１２ｂと、前記カメラ装置１２ａ、１２ｂで取り込んだ映像データが書き込まれるストレージ装置２０と、前記ストレージ装置２０に書き込まれた映像データを再生するモニタ装置３０ａ、３０ｂとを備える。カメラ装置１２ａ、１２ｂ、ストレージ装置２０、モニタ装置３０ａ、３０ｂはＬＡＮ４０（Local Area Network）を介して接続されている。なお、映像監視装置１０では、カメラ装置は２台であるが、複数台であればこの台数に限定されるものではない。また、モニタ装置は２台であるが、少なくとも１台以上あれば、この台数に限定されるものではない。
【００１６】
カメラ装置１２ａは、領域割当処理部１４と、書込処理部１６とを備える。領域割当処理部１４は、取り込んだ映像データをストレージ装置２０内の後述する書込領域部２４に書き込むために用いる管理情報２５を作成し、この管理情報２５を後述するストレージ装置２０の領域管理テーブル２２に記録する。
【００１７】
書込処理部１６は、カメラ装置１２ａが設置された場所の映像を取り込み、通常の動画圧縮で用いられる、例えば、ＭＰＥＧ４やＨ．２６４等の符号化フォーマットでエンコードした後に、ＬＡＮ４０を介して、ストレージ装置２０の書込領域部２４に書き込む。なお、映像データは必ずしも圧縮することなく、ストレージ装置２０の書込領域部２４に書き込むことも可能である。
【００１８】
カメラ装置１２ｂは、カメラ装置１２ａと同様に、領域割当処理部１４と、書込処理部１６とを備える。
【００１９】
ストレージ装置２０は、カメラ装置１２ａ、１２ｂによって作成される管理情報２５が記録される領域管理テーブル２２と、映像データが書き込まれる書込領域部２４とを備える。
【００２０】
領域管理テーブル２２に記憶される管理情報２５は、カメラ装置１２ａを識別するためのカメラ装置識別情報２６と、取り込んだ映像データの取込時刻２７と、割当領域情報２８とを備える。カメラ装置識別情報２６は、カメラ装置１２ａを識別することができる情報であれば特に限定されるものではなく、例えば、ＭＡＣアドレスやカメラ装置１２ａに付与されるＩＰアドレスが用いられる。取込時刻２７は、カメラ装置１２ａが割当領域情報２８で指定された書込領域部２４に書き込むべき映像データの映像を取り込んだ時刻として取得される。割当領域情報２８は、映像データが書き込まれる書込領域部２４に割り当てられる領域のアドレスに関する情報である。
【００２１】
書込領域部２４は、書込処理部１６によって書き込まれる映像データを書き込むための領域であり、複数の磁気ディスクからなる記録メディアであって、一般にはハードディスクドライブで構成される。
【００２２】
書込領域部２４は、複数のブロックに分割して構成され、映像データは１ブロック単位で書込領域部２４に書き込まれる。１ブロックの容量（領域）は、映像データの書き込み時間が、ストレージ装置２０にＬＡＮ４０を介して接続されているカメラ装置１２ａ、１２ｂ及びモニタ装置３０ａ、３０ｂの領域管理テーブル２２に対するアクセス時間の合計よりも長くなるように決められる。すなわち、カメラ装置１２ａ、１２ｂの各々が管理情報２５を作成するために必要なアクセス時間と、モニタ装置３０ａ、３０ｂの各々が管理情報２５を取得するために必要なアクセス時間との和であるアクセス合計時間よりも、確保した書込領域への映像データの書き込み時間が長くなるように１ブロックの容量が決められる。従って、１ブロックの容量は、ストレージ装置２０にＬＡＮ４０を介して接続されるカメラ装置、モニタ装置の台数に依存する。
【００２３】
このようにカメラ装置１２ａ、１２ｂ、モニタ装置３０ａ、３０ｂの領域管理テーブル２２に対するアクセス合計時間に基づいて１ブロックの容量を決めることにより、ストレージ装置２０の書込領域部２４に対して、複数ブロックに分割された映像データを連続的に書き込むことができる。例えば、カメラ装置１２ａ、１２ｂ、モニタ装置３０ａ、３０ｂがこの順番で領域管理テーブル２２にアクセスするようにプログラムされているとすると、カメラ装置１２ａの書込処理部１６が書込領域部２４の１ブロックに映像データを書き込んでいる間に、カメラ装置１２ｂ、モニタ装置３０ａ、３０ｂの領域管理テーブル２２に対するアクセス処理が終了し、次いで、カメラ装置１２ａの領域割当処理部１４が領域管理テーブル２２にアクセスして次の書込領域を書込領域部２４に確保することができる。従って、カメラ装置１２ａの書込処理部１６は、映像データの前記１ブロックへの書き込み終了後、既に領域が確保されている書込領域に対して、次の１ブロックの映像データを連続的に書き込むことができる。
【００２４】
モニタ装置３０ａは、領域取得処理部３２と、読取処理部３４とを備える。領域取得処理部３２は、領域管理テーブル２２に記憶されている管理情報２５を取得する。読取処理部３４は、領域取得処理部３２により取得した映像データをデコードして再生表示する。
【００２５】
モニタ装置３０ｂは、モニタ装置３０ａと同様に領域取得処理部３２と、読取処理部３４とを備える。
【００２６】
ＬＡＮ４０は、相互通信が可能なネットワークであり、映像データを送受信するために充分な帯域を確保でき、かつ、通信遅延を許容できるなら、ＷＡＮであってもよい。
【００２７】
カメラ装置１２ａ、１２ｂ、モニタ装置３０ａ、３０ｂはＬＡＮ４０を介してストレージ装置２０と接続されている。カメラ装置１２ａ、１２ｂとストレージ装置２０間、モニタ装置３０ａ、３０ｂとストレージ装置２０間はｉＳＣＳＩ（Internet Small Computer System Interface）で通信接続される。映像監視装置１０では、ＳＣＳＩで規定されるコマンドを利用して、カメラ装置１２ａ、１２ｂ、モニタ装置３０ａ、３０ｂの領域管理テーブル２２に対するアクセスの排他処理をしている。
【００２８】
具体的には、カメラ装置１２ａが領域管理テーブル２２に管理情報２５を記録する場合、ストレージ装置２０に対してRESERVEコマンドを送信し、RESERVE状態にして領域管理テーブル２２を占有し、管理情報２５の記録が終了し、領域管理テーブル２２を開放した後にRELEASEコマンドをストレージ装置２０に送信することにより管理情報２５の記録処理が終了する。なお、RESERVEコマンド、RELEASEコマンドは、同様の機能を実現できれば、ＳＣＳＩのコマンドに限定されるものではなく、他のプロトコルのコマンドを用いることも可能である。この管理情報２５の記録処理が終了するまで、領域管理テーブル２２へのカメラ装置１２ｂ、モニタ装置３０ａ、３０ｂのアクセスが禁止される。カメラ装置１２ａによって、領域管理テーブル２２へのアクセスが禁止されている場合には、カメラ装置１２ｂが領域管理テーブル２２に管理情報２５を書き込むためにRESERVEコマンドをストレージ装置２０に対して送信してもストレージ装置２０からRESERVE＿CONFLICTが返送される。同様に、カメラ装置１２ａによって領域管理テーブル２２へのアクセスが禁止されている場合、モニタ装置３０ａ、３０ｂが領域管理テーブル２２から管理情報２５を取得するためにストレージ装置２０へ管理情報２５の取得要求をしても、ストレージ装置２０からRESERVE＿CONFLICTコマンドが返送されるため、領域管理テーブル２２へのアクセスが禁止される。従って、領域管理テーブル２２がRESERVE状態にある場合には、カメラ装置１２ａ、１２ｂ、モニタ装置３０ａ、３０ｂによる領域管理テーブル２２の同時アクセスが禁止される。
【００２９】
次に、カメラ装置１２ａ、１２ｂによる映像データの書込処理について説明する。図３は、カメラ装置１２ａ、１２ｂの領域割当処理部１４によるフローチャートであり、カメラ装置１２ａ、１２ｂがストレージ装置２０の書込領域部２４に映像データを書き込むための書込領域の割当処理について説明したフローチャートである。図４は、カメラ装置１２ａ、１２ｂの書込処理部１６によるフローチャートであり、カメラ装置１２ａ、１２ｂがストレージ装置２０の書込領域部２４に映像データを書き込むための処理について説明したフローチャートである。
【００３０】
図３のフローチャートに基づき、カメラ装置１２ａの領域割当処理部１４が領域管理テーブル２２に管理情報２５を書き込む場合の処理について説明する。なお、カメラ装置１２ｂによる領域管理テーブル２２への管理情報２５の書き込みについても同様に行われる。
【００３１】
カメラ装置１２ａの領域割当処理部１４は、まず、領域管理テーブル２２の管理情報２５を取得するため、ストレージ装置２０に対してRESERVEコマンドを送信する（ステップＳ１）。領域割当処理部１４は、前記RESERVEコマンドに対するストレージ装置２０からの応答情報に従い、領域管理テーブル２２がカメラ装置１２ｂ、モニタ装置３０ａ、３０ｂのいずれかによってRESERVE状態になっているか否かを確認する（ステップＳ２）。領域管理テーブル２２がRESERVE状態になっていない場合、ストレージ装置２０は、領域管理テーブル２２をカメラ装置１２ａによるRESERVE状態とし、領域割当処理部１４は、ストレージ装置２０に対して管理情報２５の取得要求コマンドを送信し（ステップＳ３）、ストレージ装置２０から管理情報２５を取得する（ステップＳ４）。
【００３２】
一方、領域管理テーブル２２が他のカメラ装置１２ｂによってRESERVE状態になっている場合、ストレージ装置２０からRESERVE＿CONFLICTコマンドが返送される。RESERVE＿CONFLICTコマンドが返送された場合には、カメラ装置１２ａによる領域管理テーブル２２へのアクセスが禁止される。カメラ装置１２ａは、領域管理テーブル２２に対して定期的にRESERVEコマンドを送信し、カメラ装置１２ｂが領域管理テーブル２２を開放するのを待つ（ステップＳ２）。
【００３３】
ステップＳ４で管理情報２５を取得した場合、カメラ装置１２ａの領域割当処理部１４は、取得した管理情報２５に基づき、書込領域部２４に割り当てるブロックの容量を決める（ステップＳ５）。この１ブロックの容量は、カメラ装置１２ａによる映像データの書き込み時間が、ストレージ装置２０とＬＡＮ４０を介して接続されているカメラ装置１２ａ、１２ｂ、モニタ装置３０ａ、３０ｂの領域管理テーブル２２に対するアクセス時間の合計よりも長くなるように決められる。なお、ストレージ装置２０とＬＡＮ４０を介して接続するカメラ装置、モニタ装置の台数や機種等に変更がない場合、ブロックの容量を１度決定すれば、以後の設定は不要である。
【００３４】
領域割当処理部１４は、決定した１ブロックの容量に従って割当領域情報２８を作成し、映像データの取込時刻２７とともに、管理情報２５としてストレージ装置２０の領域管理テーブル２２に書き込む（ステップＳ６）。なお、割当領域情報２８は、例えば、ストレージ装置２０の書込領域部２４に割り当てられる領域のアドレス情報である。
【００３５】
領域割当処理部１４は、領域管理テーブル２２に管理情報２５を書き込んだ後、映像データを書き込むための領域が確保されたことを示すフラグを「１」とし（ステップＳ７）、RELEASEコマンドをストレージ装置２０に送信して領域管理テーブル２２の占有を開放する（ステップＳ８）。以後、領域割当処理部１４は、前記フラグの状態を常時監視し（ステップＳ９）、書込処理部１６によりフラグが「０」にクリアされたとき、ステップＳ１からの書込領域の割当処理を再度実行する。
【００３６】
次に、図４のフローチャートに基づき、カメラ装置１２ａの書込処理部１６が書込領域部２４に映像データを書き込む場合の処理について説明する。なお、カメラ装置１２ｂによる書込領域部２４への映像データの書き込みについても同様に行われる。
【００３７】
カメラ装置１２ａの書込処理部１６は、映像データを書き込むための書込領域がストレージ装置２０の書込領域部２４に割り当てられているか否かをフラグにより確認する（ステップＳ１１）。書込領域が書込領域部２４に割り当てられている場合、領域割当処理部１４のステップＳ７でフラグが「１」に設定されている。
【００３８】
フラグが「１」であり、書込領域が割り当てられている場合、書込処理部１６は、領域割当処理部１４がストレージ装置２０から取得した領域管理テーブル２２の管理情報２５を読み込み（ステップＳ１２）、映像データの取り込みを開始する一方（ステップＳ１３）、フラグを「０」にクリアする（ステップＳ１４）。フラグを「０」にクリアすることにより、領域割当処理部１４は、次のブロックの映像データを書き込むための書込領域の割当処理を、映像データの書込処理と並行して実行することができる（図３、ステップＳ９）。
【００３９】
書込処理部１６は、取り込んだ映像データをエンコードし、管理情報２５の割当領域情報２８によって割り当てられたストレージ装置２０の書込領域部２４に映像データを書き込む（ステップＳ１５）
【００４０】
書込処理部１６は、書込領域部２４に割り当てられた領域の残量を確認しながら映像データの書き込みを継続する（ステップＳ１６）。書込領域の残量が無くなったとき、次の書込領域が割り当てられているか否かを示すフラグを確認する（ステップＳ１７）。この場合、書込領域部２４に確保される１ブロックの書込領域は、カメラ装置１２ａによる映像データの書き込み時間が、ストレージ装置２０とＬＡＮ４０を介して接続されているカメラ装置１２ａ、１２ｂ、モニタ装置３０ａ、３０ｂの領域管理テーブル２２に対するアクセス時間の合計よりも長くなるように設定されている（図３、ステップＳ５）。従って、領域割当処理部１４は、書込処理部１６が映像データの書込領域部２４への書込処理を行っている間、ステップＳ１４でフラグが「０」にクリアされているため、次の書込領域の割当処理を行い、その後、フラグを「１」とする（図３、ステップＳ７）。
【００４１】
そこで、書込処理部１６は、フラグが「１」であることを確認すると（ステップＳ１７）、領域管理テーブル２２に記録された次の割当領域情報２８を読み込み（ステップＳ１２）、映像データの書込領域部２４への書込処理を連続的に継続する。
【００４２】
一方、書込領域の割り当てを示すフラグが「０」である場合には、映像データの取り込みを中止し（ステップＳ１８）、新たに書込領域が割り当てられるまで待機する。
【００４３】
次に、モニタ装置３０ａ、３０ｂによる映像データの再生処理について説明する。図５は、モニタ装置３０ａ、３０ｂの領域取得処理部３２によるフローチャートであり、モニタ装置３０ａ、３０ｂがストレージ装置２０の領域管理テーブル２２に記録された管理情報２５を取得する処理について説明したフローチャートである。図６は、モニタ装置３０ａ、３０ｂの再生処理部３４によるフローチャートであり、モニタ装置３０ａ、３０ｂがストレージ装置２０の書込領域部２４に記録された映像データを再生する処理について説明したフローチャートである。
【００４４】
図５のフローチャートに基づき、モニタ装置３０ａの領域取得処理部３２が領域管理テーブル２２から管理情報２５を取得する場合の処理について説明する。なお、モニタ装置３０ｂによる領域管理テーブル２２からの管理情報２５の取得についても同様に行われる。
【００４５】
モニタ装置３０ａの領域取得処理部３２は、まず、領域管理テーブル２２の管理情報２５を取得するため、ストレージ装置２０に対してRESERVEコマンドを送信する（ステップＳ２１）。領域取得処理部３２は、前記RESERVEコマンドに対するストレージ装置２０からの応答情報に従い、領域管理テーブル２２がカメラ装置１２ａ、１２ｂ、モニタ装置３０ｂのいずれかによってRESERVE状態になっているか否かを確認する（ステップＳ２２）。領域管理テーブル２２がRESERVE状態になっていない場合、ストレージ装置２０は、領域管理テーブル２２をモニタ装置３０ａによるRESERVE状態とし、領域取得処理部３２は、ストレージ装置２０に対して管理情報２５の取得要求コマンドを送信し（ステップＳ２３）、ストレージ装置２０から管理情報２５を取得する（ステップＳ２４）。
【００４６】
一方、領域管理テーブル２２がカメラ装置１２ａ又は１２ｂによってRESERVE状態になっている場合には、ストレージ装置２０からRESERVE＿CONFLICTコマンドが返送される。RESERVE＿CONFLICTコマンドが返送された場合には、カメラ装置１２ａ又は１２ｂによって領域管理テーブル２２が書き替えられている可能性があるため、モニタ装置３０ａによる領域管理テーブル２２へのアクセスが禁止される。モニタ装置３０ａの領域取得処理部３２は、領域管理テーブル２２に対して定期的にRESERVEコマンドを送信し、領域管理テーブル２２が開放されるのを待つ（ステップＳ２２）。
【００４７】
ステップＳ２４で管理情報２５を取得した場合、領域取得処理部３２は、管理情報２５を取得したことを示すフラグを「１」とし（ステップＳ２５）、RELEASEコマンドをストレージ装置２０に送信して領域管理テーブル２２を開放する（ステップＳ２６）。以後、領域取得処理部３２は、前記フラグの状態を常時監視し（ステップＳ２７）、再生処理部３４によりフラグが「０」にクリアされたとき、ステップＳ２１からの管理情報２５の取得処理を再度実行する。
【００４８】
次に、図６のフローチャートに基づき、モニタ装置３０ａの再生処理部３４による映像データの再生処理について説明する。なお、モニタ装置３０ｂによる再生処理も同様に行われる。
【００４９】
モニタ装置３０ａの再生処理部３４は、管理情報２５が取得されているか否かをフラグにより確認する（ステップＳ３１）。管理情報２５が取得されている場合、領域取得処理部３２のステップＳ２５でフラグが「１」に設定されている。
【００５０】
フラグが「１」であり、管理情報２５が取得されている場合、再生処理部３４は、領域取得処理部３２がストレージ装置２０から取得したストレージ装置２０の管理情報２５を読み込み（ステップＳ３２）、映像データの有無を確認する（ステップＳ３３）。なお、再生する映像データが無い場合には、再生処理を終了する。
【００５１】
再生すべき映像データの存在を確認した場合、フラグを「０」にクリアする一方（ステップＳ３４）、管理情報２５に従い、ストレージ装置２０の書込領域部２４から映像データを読み込み、映像データの再生を開始する（ステップＳ３５）。なお、フラグを「０」にクリアすることにより、領域取得処理部３２は、次のブロックの映像データに係る管理情報２５の取得処理を再生処理と並行して実行することができる（図５、ステップＳ２４）。
【００５２】
再生処理部３４は、読み込んだ映像データの再生処理が終了すると（ステップＳ３６）、次の映像データに係る管理情報２５が取得されているか否かを表すフラグを確認する（ステップＳ３７）。再生処理部３４は、フラグが「１」であるとき、次の管理情報２５に従って映像データの再生処理を連続的に継続する。一方、フラグが「０」である場合には、次の映像データの管理情報２５が取得され、フラグが「１」となるまで待機する。
【００５３】
映像監視装置１０では、ストレージ装置２０に領域管理テーブル２２を設け、カメラ装置１２ａ、１２ｂの領域割当処理部１４及びモニタ装置３０ａ、３０ｂの領域取得処理部３２により領域管理テーブル２２を処理する構成としたことにより、専用の管理サーバを用いることなく、簡便に映像データの書込処理及び再生処理を行うことができる。また、ストレージ装置２０の書込領域部２４に確保するブロックの容量（領域）を、映像データの書込時間が、カメラ装置１２ａ、１２ｂ、モニタ装置３０ａ、３０ｂのアクセス合計時間よりも長くなるように設定することにより、書込領域部２４への映像データの書込処理及び映像データの再生処理を連続的に行うことができる。
【００５４】
なお、映像監視装置１０では、ｉＳＣＳＩでＬＡＮ４０が構成されているが、領域管理テーブル２２に対するカメラ装置１２ａ、１２ｂの同時アクセスを排除することができれば、ＬＡＮ４０の構成はｉＳＣＳＩに限定されるものではない。例えば、ファイバーチャネル(Fibre Channel)で構成したＳＡＮ（Storage Area Network）によってＬＡＮ４０を構成してもよい。
【００５５】
また、本発明は、上述した実施の形態に限定されるものではなく、本発明の主旨を逸脱しない範囲で変更することが可能である。
【符号の説明】
【００５６】
１０…映像監視装置
１２ａ、１２ｂ…カメラ装置
１４…領域割当処理部
１６…書込処理部
２０…ストレージ装置
２２…領域管理テーブル
２４…書込領域部
２５…管理情報
２６…カメラ装置識別情報
２７…取込時刻
２８…割当領域情報
３０ａ、３０ｂ…モニタ装置
３２…領域取得処理部
３４…読取処理部
４０…ＬＡＮ
【図１】
2010278721.tif 000003
【図２】
2010278721.tif 000004
【図３】
2010278721.tif 000005
【図４】
2010278721.tif 000006
【図５】
2010278721.tif 000007
【図６】
2010278721.tif 000008